(57)【要約】  本発明は、寸法を小さくすることができる光ピックアップ装置を提供する。光ピックアップ装置（２２０）は、回転軸（２１１）回りに回転する光ディスクの半径方向に平行な送り方向に移動し、光ディスクの情報記録面に対して情報の記録または再生を行う光ピックアップ装置であって、第１の波長の光を出射する第１の光源（１）と、第１の波長と異なる第２の波長の光を出射する第２の光源（２）と、第１の光源からの光を情報記録面に集光させる第１の対物レンズ（３）と、第２の光源からの光を情報記録面に集光させる第２の対物レンズ（４）と、第１および第２の光源からの光をそれぞれ第１および第２の対物レンズに導く光学系と、第１および第２の対物レンズを駆動する対物レンズアクチュエータとを有する。回転軸の方向から見た場合に、回転軸を通り送り方向に平行な直線（ＬＸ）上に、第１および第２の対物レンズと、第１の光源とが並べて配置される。
2012098775.tif 000002
【特許請求の範囲】
【請求項１】
回転軸回りに回転する光ディスクの半径方向に平行な送り方向に移動し、前記光ディスクの情報記録面に対して情報の記録または再生を行う光ピックアップ装置であって、
第１の波長の光を出射する第１の光源と、
前記第１の波長と異なる第２の波長の光を出射する第２の光源と、
前記第１の光源からの光を前記情報記録面に集光させる第１の対物レンズと、
前記第２の光源からの光を前記情報記録面に集光させる第２の対物レンズと、
前記第１および第２の光源からの光をそれぞれ前記第１および第２の対物レンズに導く光学系と、
前記第１および第２の対物レンズを駆動する対物レンズアクチュエータと、
を有し、
前記回転軸の方向から見た場合に、前記回転軸を通り前記送り方向に平行な直線上に、前記第１および第２の対物レンズと、前記第１の光源とが並べて配置され、
前記対物レンズアクチュエータは、
前記第１および第２の対物レンズを保持する可動部と、
一端が前記可動部に固定された複数本のワイヤと、
前記複数本のワイヤの他端が固定され、前記複数本のワイヤを介して前記可動部を変位可能に支持する支持部と、
を含み、
前記可動部および前記支持部は、前記複数本のワイヤが前記回転軸の方向および前記送り方向の両方に垂直な方向に延びるように、前記垂直な方向に並べて配置され、
前記可動部は、
前記第１および第２の対物レンズが配置される上面部と、
前記上面部の前記支持部側の端部から、前記情報記録面から遠ざかる方向に延びる第１の側面部と、
前記上面部の前記支持部側の反対側の端部から、前記情報記録面から遠ざかる方向に延びる第２の側面部と、
を備え、
前記複数本のワイヤの一端は、前記第１の側面部に固定され、
前記上面部、前記第１の側面部、および前記第２の側面部が、前記第１の光源側に開口を有する前記送り方向に延びる空間を形成する、
ことを特徴とする光ピックアップ装置。
【請求項２】
前記可動部は、前記第１の側面部の裏面と、前記上面部の裏面と、前記第２の側面部の裏面とに連なり、前記空間側に突出する連続した突起部であって、前記第１および第２の光源からの光を前記第１および第２の対物レンズに導く前記空間内の光学部品との干渉を避けるための斜面を有する突起部をさらに備えることを特徴とする請求項１に記載の光ピックアップ装置。
【請求項３】
前記第１の光源から出射される光の光軸は、前記回転軸の方向から見た場合に、前記直線上にあり、
前記第２の光源から出射される光の光軸は、前記第１の光源から出射される光の光軸と平行に配置され、
前記第１の光源は、前記第１の波長のレーザ光を出射する半導体レーザを含み、
前記第２の光源は、前記第２の波長のレーザ光を出射する半導体レーザを含み、
前記第１および第２の光源は、いずれも、互いに直交する２つの方向で異なるレーザ光の放射角を有し、前記２つの方向のうち放射角の広い方向が前記情報記録面と平行となるように配置される、
ことを特徴とする請求項１または２に記載の光ピックアップ装置。
【請求項４】
前記第１および第２の光源のうち少なくとも１つは、前記送り方向から見た場合に、略長方形の外形を有し、当該外形の幅が狭い方向が前記情報記録面と平行となるように配置されることを特徴とする請求項１から３のいずれか１項に記載の光ピックアップ装置。
【請求項５】
回転軸回りに回転する光ディスクの半径方向に平行な送り方向に移動し、前記光ディスクの情報記録面に対して情報の記録または再生を行う光ピックアップ装置であって、
第１の波長の光を出射する第１の光源と、
前記第１の波長と異なる第２の波長の光を出射する第２の光源と、
前記第１の光源からの光を前記情報記録面に集光させる第１の対物レンズと、
前記第２の光源からの光を前記情報記録面に集光させる第２の対物レンズと、
前記第１および第２の光源からの光をそれぞれ前記第１および第２の対物レンズに導く光学系と、
を有し、
前記回転軸の方向から見た場合に、前記回転軸を通り前記送り方向に平行な直線上に、前記第１および第２の対物レンズと、前記第１の光源とが並べて配置され、
前記第２の光源は、前記回転軸の方向および前記送り方向の両方に垂直な方向に前記第１の光源と隣接し、かつ前記第２の光源から出る光の出射方向が、前記第１の光源から出る光の出射方向と平行となるように配置され、
前記第１および第２の光源のうち少なくとも１つは、前記送り方向から見た場合に、略長方形の外形を有し、当該外形の幅が狭い方向が前記情報記録面と平行となるように配置される、
ことを特徴とする光ピックアップ装置。
【請求項６】
複数の光ディスクが格納される格納領域を含む格納装置と、
前記複数の光ディスクのうち記録または再生の対象となる光ディスクが選択的に装着され、当該装着された光ディスクに対して情報の記録または再生を行うデッキと、
前記デッキをデッキ回転軸回りに回転させて、前記格納領域外の位置と、前記デッキに前記光ディスクを装着するための前記格納領域内の位置との間で前記デッキを移動させるデッキ回転手段と、
を有し、
前記デッキは、
前記光ディスクが装着され、当該光ディスクを回転軸回りに回転させる光ディスク回転手段と、
前記回転軸回りに回転する光ディスクに対して情報の記録または再生を行う請求項１から５のいずれかに記載の光ピックアップ装置と、
前記光ピックアップ装置の前記格納領域側の端部を支持し、前記光ピックアップ装置の前記送り方向の移動を案内する第１のガイドシャフトと、
前記光ピックアップ装置の前記格納領域側の反対側の端部を支持し、前記光ピックアップ装置の前記送り方向の移動を案内する第２のガイドシャフトと、
を備える、
ことを特徴とする光ディスク装置。
【請求項７】
前記回転軸の方向から見た場合に、前記第１および第２の対物レンズは、前記第２のガイドシャフトよりも前記第１のガイドシャフトに近い位置に配置されることを特徴とする請求項６に記載の光ディスク装置。
【請求項８】
前記対物レンズアクチュエータは、前記第１のガイドシャフト側に前記可動部が配置され、前記第２のガイドシャフト側に前記支持部が配置されるように構成される、
ことを特徴とする請求項６または７に記載の光ディスク装置。
【発明の詳細な説明】
【技術分野】
【０００１】
本発明は、光ディスクの情報記録面に対して情報の記録または再生を行う光ピックアップ装置および光ディスク装置に関する。
【背景技術】
【０００２】
複数枚の光ディスクを収納し、当該複数枚の光ディスクのうちのいずれか１枚を選択して再生または記録を行うチェンジャー方式の光ディスク装置がある（例えば、特許文献１参照）。【０００３】
特許文献１には、複数枚のコンパクトディスク（ＣＤ）を収納するディスク収納部と、当該ディスク収納部内のＣＤのうちのいずれか１枚を選択して再生する再生手段とを有するディスクプレーヤが記載されている。このディスクプレーヤにおいて、再生手段は、回動自在に設けられたアームを有し、このアームの上面には、ＣＤが載せられるターンテーブルと、当該ターンテーブルを介してＣＤを回転させるスピンドルモータと、回転するＣＤから情報を読み取るピックアップユニットとが設けられる。【０００４】
上記構成において、ディスク収納部に対してＣＤを挿入したり排出したりする場合には、アームはディスク収納部外の待機位置を占める。ＣＤを再生する場合には、アームが軸を中心に回転してディスク収納部内の再生位置に移動し、再生しようとするＣＤがアームのターンテーブルに載せられ、ＣＤの再生が行われる。【０００５】
また、光ピックアップ装置として、ＣＤ、デジタルバーサタイルディスク（ＤＶＤ）、ブルーレイディスク（ＢＤ）の３種類の光ディスクに対して情報の記録または再生を行うものがある（例えば、特許文献２参照）。【０００６】
特許文献２には、ＢＤ用の光を出射する短波長光学ユニットと、ＤＶＤ用の光およびＣＤ用の光を出射する長波長光学ユニットと、短波長ユニットからの光と長波長ユニットからの光を略同一方向に導くビームスプリッタと、ビームスプリッタからの光が透過するコリメータと、ＢＤ用の光の球面収差を補正するためにコリメータを移動させる駆動部材と、コリメータからのＤＶＤ用の光およびＣＤ用の光を反射しＢＤ用の光を透過させる立ち上げミラーと、当該立ち上げミラーから反射してきた光を光ディスクに集光させる長波長用の対物レンズと、立ち上げミラーを透過してきた光を反射する立ち上げミラーと、当該立ち上げミラーから反射してきた光を光ディスクに集光させる短波長用の対物レンズとを有する光ピックアップ装置が記載されている。
【先行技術文献】
【特許文献】
【０００７】
【特許文献１】特開２００５−２０２９９０号公報
【特許文献２】特開２０１０−７３２２９号公報
【発明の概要】
【発明が解決しようとする課題】
【０００８】
ところで、２個の対物レンズにより光ディスクに対する情報の記録または再生を行う光ピックアップ装置において、寸法を小さくしたいという要望がある。【０００９】
例えば、車載用装置の規格である１ＤＩＮ規格のサイズに収まる、ＢＤ／ＤＶＤ／ＣＤの３種類の光ディスクに対応するチェンジャー式の光ディスク装置を実現するために、小型化された光ピックアップ装置が求められている。【００１０】
そこで、本発明は、寸法を小さくすることができる光ピックアップ装置および光ディスク装置を提供することを目的とする。
【課題を解決するための手段】
【００１１】
本発明に係る光ピックアップ装置は、回転軸回りに回転する光ディスクの半径方向に平行な送り方向に移動し、前記光ディスクの情報記録面に対して情報の記録または再生を行う光ピックアップ装置であって、第１の波長の光を出射する第１の光源と、前記第１の波長と異なる第２の波長の光を出射する第２の光源と、前記第１の光源からの光を前記情報記録面に集光させる第１の対物レンズと、前記第２の光源からの光を前記情報記録面に集光させる第２の対物レンズと、前記第１および第２の光源からの光をそれぞれ前記第１および第２の対物レンズに導く光学系と、前記第１および第２の対物レンズを駆動する対物レンズアクチュエータと、を有し、前記回転軸の方向から見た場合に、前記回転軸を通り前記送り方向に平行な直線上に、前記第１および第２の対物レンズと、前記第１の光源とが並べて配置され、前記対物レンズアクチュエータは、前記第１および第２の対物レンズを保持する可動部と、一端が前記可動部に固定された複数本のワイヤと、前記複数本のワイヤの他端が固定され、前記複数本のワイヤを介して前記可動部を変位可能に支持する支持部と、を含み、前記可動部および前記支持部は、前記複数本のワイヤが前記回転軸の方向および前記送り方向の両方に垂直な方向に延びるように、前記垂直な方向に並べて配置され、前記可動部は、前記第１および第２の対物レンズが配置される上面部と、前記上面部の前記支持部側の端部から、前記情報記録面から遠ざかる方向に延びる第１の側面部と、前記上面部の前記支持部側の反対側の端部から、前記情報記録面から遠ざかる方向に延びる第２の側面部と、を備え、前記複数本のワイヤの一端は、前記第１の側面部に固定され、前記上面部、前記第１の側面部、および前記第２の側面部が、前記第１の光源側に開口を有する前記送り方向に延びる空間を形成する、ことを特徴とする。【００１２】
また、本発明に係る光ディスク装置は、複数の光ディスクが格納される格納領域を含む格納装置と、前記複数の光ディスクのうち記録または再生の対象となる光ディスクが選択的に装着され、当該装着された光ディスクに対して情報の記録または再生を行うデッキと、前記デッキをデッキ回転軸回りに回転させて、前記格納領域外の位置と、前記デッキに前記光ディスクを装着するための前記格納領域内の位置との間で前記デッキを移動させるデッキ回転手段と、を有し、前記デッキは、前記光ディスクが装着され、当該光ディスクを回転軸回りに回転させる光ディスク回転手段と、前記回転軸回りに回転する光ディスクに対して情報の記録または再生を行う上記光ピックアップ装置と、前記光ピックアップ装置の前記格納領域側の端部を支持し、前記光ピックアップ装置の前記送り方向の移動を案内する第１のガイドシャフトと、前記光ピックアップ装置の前記格納領域側の反対側の端部を支持し、前記光ピックアップ装置の前記送り方向の移動を案内する第２のガイドシャフトとを備える、ことを特徴とする。
【発明の効果】
【００１３】
本発明によれば、寸法を小さくすることができる光ピックアップ装置および光ディスク装置を提供することができる。
【図面の簡単な説明】
【００１４】
【図１】実施の形態１における光ピックアップ装置が搭載された光ディスク装置の構成の一例を示す上面図である。
【図２】実施の形態１における光ピックアップ装置が搭載された光ディスク装置の構成の一例を示す概略図である。
【図３】実施の形態１における光ピックアップ装置の光学系の構成の一例を示す斜視図である。
【図４】実施の形態１における光ピックアップ装置の構成の一例を示す斜視図である。
【図５】実施の形態１における光ピックアップ装置の構成の一例を示す上面図である。
【図６】実施の形態１における光ピックアップ装置の構成の一例を示す背面図である。
【図７】実施の形態１における光ピックアップ装置の対物レンズアクチュエータおよび球面収差補正装置の構成の一例を示す斜視図である。
【図８】球面収差補正レンズの方向から見たときの対物レンズアクチュエータの可動部の構成を示す概略図である。
【図９】光ディスク装置の寸法を説明するための光ディスク装置の概略上面図である。
【図１０】実施の形態２における光ピックアップ装置の構成の一例を示す上面図である。
【図１１】実施の形態２における光ピックアップ装置の構成の一例を示す背面図である。
【図１２】実施の形態３における対物レンズアクチュエータの可動部の構成を示す斜視図である。
【図１３】（ａ）〜（ｃ）は、実施の形態４における光源に搭載される半導体レーザとそのレーザ出射光の放射強度分布を示す図である。
【発明を実施するための形態】
【００１５】
以下、本発明の実施の形態を図面に従って説明する。
実施の形態１．
［光ディスク装置］
図１および図２は、それぞれ、実施の形態１における光ピックアップ装置２２０が搭載された光ディスク装置１０００の構成の一例を示す上面図および概略図である。この光ディスク装置１０００は、光ディスク９００に対して、情報の記録および再生のうち少なくとも一方を行う装置である。ここでは、光ディスク装置１０００は、複数枚の光ディスク９００（以下、符号を省略する）を格納し、格納された複数枚の光ディスクのうちのいずれか１枚の光ディスクを選択し、当該光ディスクに対して情報の記録または再生を行うチェンジャー式の光ディスク装置である。具体的には、光ディスク装置１０００は、複数枚の光ディスクを格納する格納装置１００と、光ピックアップ装置２２０が搭載されたデッキ２００とを有し、デッキ２００をデッキ回転軸２６０回りに回転させて、デッキ２００を格納装置１００の外側に退避させたり、格納装置１００の中に入り込ませたりするデッキ振り出し方式のチェンジャー式光ディスク装置である。また、光ディスク装置１０００は、互いに異なる波長の光により記録または再生が行われる少なくとも２種類の光ディスクに対応する。ここでは、光ディスク装置１０００は、ＢＤ、ＤＶＤ、およびＣＤの３種類の光ディスクに対する記録および再生が可能である。さらに、光ディスク装置１０００は、車載用装置の規格である１ＤＩＮ規格のサイズ（横幅１８０ｍｍ、高さ５０ｍｍ）に収まるように構成される。
【００１６】
光ディスク装置１０００は、格納装置１００、デッキ２００、およびデッキ回転機構３００（図２にのみ図示）を有し、これらは略直方体状の筐体（シャーシ）４００に収容される。
【００１７】
格納装置１００は、複数枚（例えば６枚）の光ディスクが格納される格納領域１１０を含む。格納領域１１０において、複数枚の光ディスクは、光ディスクの中心軸の位置が互いに一致し、光ディスクの情報記録面が互いに同一の方向を向くように、情報記録面に垂直な方向（すなわち図１の紙面に垂直な方向）に並べて配置される。筐体４００の前面部４１０には開口（不図示）が設けられており、格納装置１００に対する光ディスクの挿入や排出は、前面部４１０の開口を介して行われる。格納装置１００は、格納領域１１０への光ディスクの挿入、格納領域１１０からの光ディスクの排出、および格納領域１１０内での光ディスクの移動のために、光ディスクを移動させる光ディスク移動機構１２０を有する。この光ディスク移動機構１２０については、例えば特許文献１に記載されたものを利用することができ、ここでは詳しい説明を省略する。
【００１８】
なお、図１についての以降の説明では、説明の便宜上、格納領域１１０内で複数の光ディスクが並べられる方向（すなわち図１の紙面に垂直な方向）を上下方向とし、格納領域１１０内で光ディスクの情報記録面が向く方向（すなわち図１の紙面の表面から裏面に向かう方向）を下方向とする。また、光ディスクが挿入および排出される方向（すなわち図１の紙面の左右方向）を前後方向とし、光ディスクの排出方向（すなわち図１の紙面の左方向）を前方向とする。また、上下方向および前後方向に直交する方向（すなわち図１の紙面の上下方向）を左右方向（または横方向）とし、前方向に向かって右側の方向（すなわち図１の紙面の上方向）を右方向とする。
【００１９】
デッキ２００は、格納領域１１０に格納された複数枚の光ディスクのうち記録または再生の対象となる光ディスクが選択的に装着され、当該装着された光ディスクに対して情報の記録または再生を行うものである。デッキ２００は、デッキ回転軸２６０を中心に振り子のように一定角度の範囲内で回転可能であり、フローティングデッキと呼ばれる。
【００２０】
デッキ回転機構３００は、デッキ２００をデッキ回転軸２６０回りに回転させて、格納領域１１０外の位置（以下、「退避位置」と称す）と、デッキ２００に光ディスクを装着するための格納領域１１０内の位置（以下、「装着位置」と称す）との間でデッキ２００を移動させるものである。すなわち、デッキ回転機構３００は、デッキ２００を格納領域１１０の外側に退避させた退避位置と、デッキ２００に光ディスクを装着するためにデッキ２００を格納領域１１０の内部に入り込ませた装着位置との間でデッキ２００を移動させる。図１には、デッキ２００が退避位置に位置する状態が実線で示されており、デッキ２００が装着位置に位置する状態が二点鎖線で示されている。なお、デッキ回転機構３００については、例えば特許文献１に記載されたものを利用することができ、ここでは詳しい説明を省略する。
【００２１】
以下、デッキ２００について、より詳しく説明する。図１，２に示されるように、デッキ２００は、光ディスク回転機構２１０、光ピックアップ装置２２０、第１のガイドシャフト２３１、第２のガイドシャフト２３２、およびシャフト回転機構２４０を備え、これらはデッキベース２５０上に設けられる。
【００２２】
光ディスク回転機構２１０は、記録または再生の対象となる光ディスクが装着され、当該光ディスクを回転軸（ディスク回転軸）２１１回りに回転させるものである。具体的には、光ディスク回転機構２１０は、モータ回転軸２１２ａを有するスピンドルモータ２１２と、モータ回転軸２１２ａに取り付けられ、光ディスクを回転可能に支持するターンテーブル２１３とにより構成される。スピンドルモータ２１２は、モータ回転軸２１２ａを回転させてターンテーブル２１３を回転駆動し、ターンテーブル２１３に支持された光ディスクをモータ回転軸２１２ａ回りに回転させる。
【００２３】
光ピックアップ装置２２０は、回転軸２１１回りに回転する光ディスクの半径方向に平行な送り方向（トラバース方向とも呼ばれる）に移動し、当該光ディスクの情報記録面に対して情報の記録または再生を行う装置である。具体的には、光ピックアップ装置２２０は、第１の対物レンズ３（以下、「対物レンズ３」と略称する）および第２の対物レンズ４（以下、「対物レンズ４」と略称する）を有する。対物レンズ３，４は、互いに異なる種類の光ディスクに対して用いられる。ここでは、対物レンズ３はＢＤ用の対物レンズであり、対物レンズ４はＤＶＤおよびＣＤ用の対物レンズである。光ピックアップ装置２２０の対物レンズ３，４以外の光学部品は、カバー９０により覆われている。なお、光ピックアップ装置２２０については、後に詳しく説明する。
【００２４】
第１のガイドシャフト２３１は、光ピックアップ装置２２０の格納領域１１０側の端部を支持し、光ピックアップ装置２２０の送り方向の移動を案内する。第２のガイドシャフト２３２は、光ピックアップ装置２２０の格納領域１１０側の反対側の端部を支持し、光ピックアップ装置２２０の送り方向の移動を案内する。なお、「格納領域１１０側」とは、デッキ２００が退避位置に位置する状態における格納領域１１０側を意味し、以降の説明でも同様である。
【００２５】
第１のガイドシャフト２３１および第２のガイドシャフト２３２の送り方向の長さは、光ピックアップ装置２２０の対物レンズ３および４が、光ディスクの最内周半径位置から最外周半径位置までの間を移動可能となるように設定される。
【００２６】
ここでは、第２のガイドシャフト２３２は、光ピックアップ装置２２０に駆動力を付与するための螺旋状の溝が設けられたスクリューシャフトである。後述するように、光ピックアップ装置２２０側には第２のガイドシャフト２３２の螺旋状の溝と噛み合うラックギア３３が設けられ、第２のガイドシャフト２３２の回転により光ピックアップ装置２２０が送り方向にねじ送りされるように構成されている。一方、第１のガイドシャフト２３１は、そのような溝を持たないシャフトである。以下の説明では、「第１のガイドシャフト２３１」を「ガイドシャフト２３１」と称し、「第２のガイドシャフト２３２」を「スクリューシャフト２３２」と称す。
【００２７】
シャフト回転機構２４０は、スクリューシャフト２３２を回転させる機構である。具体的には、シャフト回転機構２４０は、スクリューシャフト２３２を回転駆動するステッピングモータ２４１により構成される。このステッピングモータ２４１によるスクリューシャフト２３２の回転が制御されることにより、光ピックアップ装置２２０の送り方向の移動および位置の制御（すなわちトラバース制御）が行われる。これにより、光ピックアップ装置２２０の対物レンズ３および４が、回転する光ディスクの最内周半径位置から最外周半径位置までの間を高速に移動する。
【００２８】
デッキベース２５０は、略平板状の部材であり、光ピックアップ装置２２０の送り方向に延びる形状を有する。デッキベース２５０の格納領域１１０側の端部には、送り方向に沿って延びるようにガイドシャフト２３１が設置される。一方、デッキベース２５０の格納領域１１０側とは反対側の端部には、送り方向に沿って延びるようにスクリューシャフト２３２が設置される。そして、ガイドシャフト２３１およびスクリューシャフト２３２に挟まれた空間に、光ピックアップ装置２２０が配置される。光ピックアップ装置２２０の送り方向（すなわちデッキベース２５０の長手方向）について、デッキベース２５０の一方の端部にはターンテーブル２１３が配置され、他方の端部にはステッピングモータ２４１およびデッキ回転軸２６０が配置される。図１では、光ディスクが挿入される開口側にターンテーブル２１３が配置され、その反対側にステッピングモータ２４１およびデッキ回転軸２６０が配置されている。
【００２９】
図１に示されるように、デッキ２００が退避位置に位置する状態では、格納装置１００およびデッキ２００は、左右方向に並んで配置され、デッキ２００は、光ピックアップ装置２２０の送り方向が前後方向を向くように配置される。格納領域１１０を確保するため、または光ディスク装置１０００を小型化するため、デッキベース２５０の格納領域１１０側の側部は、格納領域１１０（または光ディスク）から円弧状に逃げた形状となっている。上記円弧状の曲率半径は、光ディスクの半径に応じて決められ、例えばＢＤ、ＤＶＤ、およびＣＤの半径（６０ｍｍ）に合わせて約６０ｍｍとされる。
【００３０】
図２に示されるように、光ディスク装置１０００は、さらに制御装置５００を有する。この制御装置５００は、格納装置１００、デッキ２００、およびデッキ回転機構３００の動作を制御する。制御装置５００は、例えば筐体４００内に収容される。
【００３１】
以下、光ディスク装置１０００の動作について説明する。
制御装置５００は、例えばユーザからの指示に基づき、格納領域１１０に格納されている光ディスクのうち記録または再生の対象となる光ディスクを選択する。
【００３２】
そして、選択された光ディスクがターンテーブル２１３より下方に位置する場合には、制御装置５００は、選択された光ディスクの上下方向の位置がターンテーブル２１３より若干高い位置となるように、選択された光ディスクとその上方に格納された光ディスクをひとまとめに上方向に移動させる。また、選択された光ディスクの下にデッキ２００を割り込ませるための空間が確保されるように、選択された光ディスクより下方に格納された光ディスクをひとまとめに下方向に移動させる。
【００３３】
一方、選択された光ディスクがターンテーブル２１３より上方に位置する場合には、制御装置５００は、選択された光ディスクの下にデッキ２００を割り込ませるための空間が確保されるように、選択された光ディスクより下方に格納された光ディスクをひとまとめに下方向に移動させる。また、選択された光ディスクの上下方向の位置がターンテーブル２１３より若干高い位置となるように、選択された光ディスクとその上方に格納された光ディスクをひとまとめに下方向に移動させる。
【００３４】
上記光ディスクの移動が終了すると、制御装置５００は、デッキ２００を図１の矢印Ａの方向に回転させて退避位置から装着位置に移動させ、デッキ２００を選択された光ディスクの下の空間に割り込ませる。そして、制御装置５００は、選択された光ディスクを下降させてターンテーブル２１３に装着し、デッキ２００を制御して選択された光ディスクに対する情報の記録または再生を行う。
【００３５】
光ディスクに対する情報の記録または再生が終了した後、制御装置５００は、装着されている光ディスクを上昇させてターンテーブル２１３から外した後、デッキ２００を図１の矢印Ｂの方向に回転させて装着位置から退避位置に戻す。このデッキ２００を退避位置に戻す操作は、光ディスクの格納あるいは排出、または別の光ディスクの装着が行われる前に行われ、その具体的なタイミングは適宜に決められればよい。別の光ディスクをデッキ２００に装着する場合や、光ディスクを格納または排出する場合には、格納領域１１０内で光ディスクを移動させる必要があるが、デッキ２００を退避位置に退避させておくことにより、ターンテーブル２１３や光ピックアップ装置２２０に妨げられることなく、格納領域１１０内で光ディスクを移動させることが可能となる。
【００３６】
［光ピックアップ装置］
図３は、実施の形態１における光ピックアップ装置２２０の光学系の構成の一例を示す斜視図である。図４、図５、および図６は、それぞれ、実施の形態１における光ピックアップ装置２２０の構成の一例を示す斜視図、上面図、および背面図である。図７は、実施の形態１における光ピックアップ装置２２０の対物レンズアクチュエータ５０および球面収差補正装置７０の構成の一例を示す斜視図である。図８は、球面収差補正レンズ９の方向から見たときの対物レンズアクチュエータ５０の可動部５１の構成を示す概略図である。以下、図３〜図８を参照して、実施の形態１における光ピックアップ装置２２０の構成について説明する。
【００３７】
なお、光ピックアップ装置２２０についての以降の説明では、説明の便宜上、光ピックアップ装置２２０の送り方向（すなわち光ディスクの半径方向）をＸ方向（または前後方向）とし、光ディスクの外周側に向かう方向を＋Ｘ方向（または後方向）、光ディスクの内周側に向かう方向を−Ｘ方向（または前方向）とする。また、光ディスクの回転軸２１１の方向（すなわち光ディスクの情報記録面に垂直な方向）をＺ方向（または上下方向）とし、光ピックアップ装置２２０から光ディスクに向かう方向を＋Ｚ方向（または上方向）、その反対方向を−Ｚ方向（または下方向）とする。さらに、Ｘ方向およびＺ方向の両方に垂直な方向をＹ方向（または左右方向）とし、光ピックアップ装置２２０から格納領域１１０側に向かう方向を−Ｙ方向（または左方向）、その反対方向を＋Ｙ方向（または右方向）とする。図３〜８には、＋Ｘ方向、＋Ｙ方向、および＋Ｚ方向を示す矢印が示されている。
【００３８】
また、図４，５では、光ピックアップ装置２２０の内部構造が分かるように、カバー９０の一部は図示されていない。また、光ピックアップ装置２２０には、外部（例えば制御装置５００）から制御信号や電力の供給を受けるためのフレキシブルプリント基板が接続されるが、当該フレキシブルプリント基板の図示は省略されている。また、図３〜５，７において、破線はレーザ光束を示している。
【００３９】
＜光ピックアップ装置の光学系＞
まず、主に図３を参照して、光ピックアップ装置２２０の光学系について説明する。光ピックアップ装置２２０は、第１の光源１（以下、「光源１」と略称する）、第２の光源２（以下、「光源２」と略称する）、対物レンズ３、および対物レンズ４を有する。
【００４０】
光源１は、第１の波長の光を出射する光源である。ここでは、光源１は、ＢＤに対する記録および再生を行うためのＢＤ用の光源であり、ＢＤ用の光を出射する。具体的には、光源１は、波長４０５ｎｍの青紫色のレーザ光を出射する半導体レーザである。また、光源１として、ここでは、円筒型パッケージの半導体レーザを使用しており、光学系を小型化するために、当該円筒型パッケージを小径にしている。
【００４１】
光源２は、第１の波長と異なる第２の波長の光を出射する光源である。光源２は、少なくとも第２の波長の光を出射すればよく、第２の波長を含む２種類以上の波長の光を出射してもよい。ここでは、光源２は、ＤＶＤおよびＣＤに対する記録および再生を行うためのＤＶＤおよびＣＤ用の光源であり、ＤＶＤ用の光およびＣＤ用の光を選択的に出射する。具体的には、光源２は、ＤＶＤ用の波長６８０ｎｍの赤色のレーザ光（第２の波長の光）と、ＣＤ用の波長７８０ｎｍの赤外色のレーザ光（第３の波長の光）とを出射する２波長半導体レーザである。また、光源２は、薄型フラットパッケージ形状である平面型パッケージの２波長半導体レーザである。本例では、光源２として円筒型パッケージを用いた場合、所定の寸法より光ピックアップ装置の寸法が大きくなることから、光源２として平面型のパッケージを使用している。また、光学系を小型化する観点より、光源２は、送り方向（Ｘ方向）から見た場合に、略長方形の外形を有し、当該外形の幅が狭い方向（短辺の方向）が光ディスクの情報記録面と平行となり、幅が広い方向（長辺の方向）が光ディスクの情報記録面と垂直となるように配置されている。
【００４２】
対物レンズ３は、光源１からの光を光ディスクの情報記録面に集光させるものである。具体的には、対物レンズ３は、光源１からのＢＤ用の光をＢＤの情報記録面に集光させるＢＤ用の対物レンズである。
【００４３】
対物レンズ４は、光源２からの光を光ディスクの情報記録面に集光させるものである。具体的には、対物レンズ４は、光源２からのＤＶＤ用の光およびＣＤ用の光をそれぞれＤＶＤおよびＣＤの情報記録面に集光させるＤＶＤおよびＣＤ用の対物レンズである。
【００４４】
光ピックアップ装置２２０のＹ方向の幅を小さくする観点より、光源および対物レンズは次のように配置される。すなわち、図１，３に示されるように、光ディスクの回転軸２１１の方向（以下、「ディスク回転軸方向」と称す）から見た場合に、回転軸２１１（またはモータ回転軸２１２ａの中心）を通り送り方向に平行な直線ＬＸ上に、対物レンズ３，４と、光源１とが並べて配置される。より具体的には、直線ＬＸ上に、２個の対物レンズ３，４の中心と、光源１とが並べて配置される。また、図３に示されるように、光源２は、Ｙ方向に光源１と隣接して配置される。すなわち、光源２は、光源１の横に配置される。さらに、光源２は、当該光源２から出る光の出射方向が、光源１から出る光の出射方向と平行となるように配置される。具体的には、光源１から出射される光の光軸は、ディスク回転軸方向から見た場合に、直線ＬＸ上にあり、光源２から出射される光の光軸は、光源１から出射される光の光軸と平行に配置される。
【００４５】
光ピックアップ装置２２０は、光源１からの光を対物レンズ３に導き、光源２からの光を対物レンズ４に導く光学系５を有する。具体的には、光学系５は、光源１からの光と光源２からの光とを送り方向（Ｘ方向）の共通の光路６に合成する合成部７と、共通の光路６からの光を、対物レンズ３に向かう光源１からの光と対物レンズ４に向かう光源２からの光とに分解する分解部８とを含む。また、光学系５は、共通の光路６に配置された、球面収差の補正を行うための球面収差補正レンズ９を含む。球面収差補正レンズ９は、ディスク回転軸方向から見た場合に、光源１と対物レンズ３とを結ぶ直線上に配置される。すなわち、ディスク回転軸方向から見た場合に、上記の直線ＬＸ上に、対物レンズ３，４と、球面収差補正レンズ９と、光源１とが並べて配置される。
【００４６】
合成部７は、図３の例では、２つの反射面１２ａ，１２ｂを有する合成プリズム１２により構成されている。
【００４７】
分解部８は、具体的には、光源１，２のうち一方の光源からの光を対物レンズ３，４のうち対応する対物レンズに向けて反射し、他方の光源からの光を透過させる波長選別ミラーである第１の折り曲げミラー１４と、当該第１の折り曲げミラー１４を透過した他方の光源からの光を対物レンズ３，４のうち対応する対物レンズに向けて反射する第２の折り曲げミラー１５とにより構成される。図３の順序で対物レンズ３，４が配置される場合、第１の折り曲げミラー１４は、光源１からの光を対物レンズ３に向けて反射し、光源２からの光を透過させ、第２の折り曲げミラー１５は、第１の折り曲げミラー１４を透過した光源２からの光を対物レンズ４に向けて反射する。図３の例では、第１の折り曲げミラー１４としてダイクロイックプリズムが用いられ、第２の折り曲げミラー１５として三角ミラーが用いられている。以下の説明では、「第１の折り曲げミラー１４」、「第２の折り曲げミラー１５」をそれぞれ「ダイクロイックプリズム１４」、「三角ミラー１５」と称する。
【００４８】
より具体的には、光ピックアップ装置２２０のＢＤ用の光学系の構成および作用は次の通りである。ＢＤ用の光学系は、光源１、回折格子１１、合成プリズム１２、波長板１３、球面収差補正レンズ９、ダイクロイックプリズム１４、対物レンズ３、シリンドリカルレンズ１６、および受光素子１７により構成される。
【００４９】
光源１は−Ｘ方向（送り方向）に光を出射するように配置されており、光源１からの光の進行方向には、回折格子１１、合成プリズム１２、波長板１３、球面収差補正レンズ９、およびダイクロイックプリズム１４が、この順序でＸ方向に直線状に並べて配置される。ダイクロイックプリズム１４は、対物レンズ３の直下（−Ｚ方向側）に配置される。合成プリズム１２は、光源１からの光が反射面１２ａに入射するように配置される。また、合成プリズム１２の−Ｙ方向側には、シリンドリカルレンズ１６と受光素子１７とが順に配置される。
【００５０】
光源１から出射されたＢＤ用のレーザ光は、回折格子１１に入射する。回折格子１１は、入射したレーザ光を回折させ、０次光のメインビームと±１次光の２個のサブビームとを生成する。これにより、光ディスク上に１個のメインビームと２個のサブビームが集光することになる。回折格子１１から出射されたレーザ光は、合成プリズム１２の反射面１２ａを透過し、波長板１３に入射する。波長板１３は、入射した直線偏光のレーザ光を円偏光のレーザ光に変換する。波長板１３から出射されたレーザ光（発散光束）は、球面収差補正レンズ９に入射する。球面収差補正レンズ９は、コリメータレンズにより構成され、入射したレーザ光をコリメート光に変換する。球面収差補正レンズ９から出射されたレーザ光（コリメート光束）は、ダイクロイックプリズム１４に入射する。ダイクロイックプリズム１４は、入射したレーザ光の進行方向を＋Ｚ方向に直角に折り曲げる。ダイクロイックプリズム１４により折り曲げられたレーザ光は、対物レンズ３に入射する。対物レンズ３は、入射したＢＤ用のレーザ光をＢＤの情報記録面に集光させる。
【００５１】
ＢＤの情報記録面で反射した戻り光は、対物レンズ３、ダイクロイックプリズム１４、球面収差補正レンズ９、波長板１３を経て合成プリズム１２に入射し、合成プリズム１２の反射面１２ａにより−Ｙ方向に直角に折り曲げられ、シリンドリカルレンズ１６を介して受光素子１７に入射する。受光素子１７は、受光した光を電気信号に変換して出力する。出力された信号は例えば制御装置５００により処理されて、再生信号、フォーカスエラー信号、トラックエラー信号等が生成される。
【００５２】
また、光ピックアップ装置２２０のＤＶＤおよびＣＤ用の光学系の構成および作用は次の通りである。ＤＶＤおよびＣＤ用の光学系は、光源２、回折格子１１、合成プリズム１２、波長板１３、球面収差補正レンズ９、ダイクロイックプリズム１４、三角ミラー１５、対物レンズ４、シリンドリカルレンズ１６、および受光素子１７により構成される。したがって、回折格子１１、合成プリズム１２、波長板１３、球面収差補正レンズ９、ダイクロイックプリズム１４、シリンドリカルレンズ１６、および受光素子１７は、ＢＤ、ＤＶＤ、およびＣＤについて共用の光学部品である。
【００５３】
光源２は、その光の出射方向が光源１の光の出射方向と同じ方向（−Ｘ方向）となり、その光の出射位置の高さ（すなわちＺ方向の位置）が光源１の光の出射位置の高さと同じとなるように配置される。回折格子１１は、光源２からの光も当該回折格子１１に入射するように配置される。合成プリズム１２は、光源２からの光が反射面１２ｂに入射するように配置される。三角ミラー１５は、ダイクロイックプリズム１４の−Ｘ方向側に、対物レンズ４の直下（−Ｚ方向側）に配置される。
【００５４】
光源２から出射されたＤＶＤ用のレーザ光は、回折格子１１に入射する。回折格子１１は、入射したレーザ光を回折させ、０次光のメインビームと±１次光の２個のサブビームとを生成する。これにより、光ディスク上に１個のメインビームと２個のサブビームが集光することになる。回折格子１１から出射されたレーザ光は、合成プリズム１２の反射面１２ｂで＋Ｙ方向に直角に折り曲げられた後、反射面１２ａで−Ｘ方向に直角に折り曲げられる。すなわち、合成プリズム１２は、光源２からのＤＶＤ用のレーザ光の光路を、光源１からのＢＤ用のレーザ光の光路と一致させる。合成プリズム１２から出射されたレーザ光は、波長板１３に入射する。波長板１３は、入射した直線偏光のレーザ光を円偏光のレーザ光に変換する。波長板１３から出射されたレーザ光（発散光束）は、球面収差補正レンズ９に入射する。球面収差補正レンズ９は、入射したレーザ光をコリメート光に変換する。球面収差補正レンズ９から出射されたレーザ光（コリメート光束）は、ダイクロイックプリズム１４を透過して直進した後、三角ミラー１５に入射する。三角ミラー１５は、入射したレーザ光の進行方向を＋Ｚ方向に直角に折り曲げる。三角ミラー１５により折り曲げられたレーザ光は、対物レンズ４に入射する。対物レンズ４は、入射したＤＶＤ用のレーザ光をＤＶＤの情報記録面に集光させる。
【００５５】
ＤＶＤの情報記録面で反射した戻り光は、三角ミラー１５、ダイクロイックプリズム１４、球面収差補正レンズ９、波長板１３を経て合成プリズム１２に入射し、合成プリズム１２の反射面１２ａにより−Ｙ方向に直角に折り曲げられ、シリンドリカルレンズ１６を介して受光素子１７に入射する。受光素子１７は、受光した光を電気信号に変換して出力する。出力された信号は例えば制御装置５００により処理されて、再生信号、フォーカスエラー信号、トラックエラー信号等が生成される。
【００５６】
上記ＤＶＤ用のレーザ光と同様に、光源２から出射されたＣＤ用のレーザ光は、対物レンズ４によりＣＤの情報記録面に集光し、ＣＤの情報記録面で反射した戻り光は、受光素子１７により電気信号に変換されて処理される。
【００５７】
＜光ピックアップ装置の具体的な構成＞
以下、主に図４〜図６を参照して、光ピックアップ装置２２０の具体的な構成について説明する。
図４〜図６に示されるように、光ピックアップ装置２２０は、その基体をなすベース２０、光源ユニット４０、対物レンズアクチュエータ５０、および球面収差補正装置７０を有する。光源ユニット４０、対物レンズアクチュエータ５０、および球面収差補正装置７０は、ベース２０に取り付けられる。
【００５８】
ベース２０は、光ディスクの情報記録面と対向する略平板状の底面部２１と、それぞれ底面部２１の端部から上方向に延びる、前面部２２、右側面部２３、左側面部２４，２５、および後面部２６，２７とを有する。前面部２２は、左右方向に延びるように、底面部２１の前端に設けられる。右側面部２３は、前面部２２の右端から後方向に延びるように、底面部２１の右端に設けられる。左側面部２４は、前面部２２の左端から後方向に延びるように、底面部２１の左端に設けられる。左側面部２４の前後方向の長さは、右側面部２３の前後方向の長さより短く、右側面部２３の前後方向の長さの約２／３程度である。後面部２６は、左側面部２４の後端から右方向に延びるように、底面部２１の後端に設けられる。後面部２６の左右方向の長さは、前面部２２の左右方向の長さより短く、前面部２２の左右方向の長さの約１／２程度である。左側面部２５は、後面部２６の右端から後方向に延びるように、底面部２１の左端に設けられる。左側面部２５の前後方向の長さは、右側面部２３と左側面部２４との前後方向の長さの差に相当する長さであり、右側面部２３の前後方向の長さの約１／３程度である。後面部２７は、左側面部２５の後端から右側面部２３の後端まで右方向に延びるように、底面部２１の後端に設けられる。後面部２７の左右方向の長さは、前面部２２と後面部２６との左右方向の長さの差に相当する長さであり、前面部２２の左右方向の長さの約１／２程度である。
【００５９】
ベース２０の右側面部２３には、スクリューシャフト軸受部３１，３２と、ラックギア３３とが設けられる。スクリューシャフト軸受部３１，３２には、スクリューシャフト２３２が摺動可能に挿入される。ラックギア３３は、スプリング３４を介して右側面部２３に取り付けられており、当該スプリング３４によってスクリューシャフト２３２に押し当てられ、スクリューシャフト２３２の螺旋溝と噛み合う。ラックギア３３は、スクリューシャフト２３２の回転により前後方向にねじ送りされ、これにより光ピックアップ装置２２０が送り方向に移動する。したがって、ステッピングモータ２４１によるスクリューシャフト２３２の回転が制御されることにより、光ピックアップ装置２２０の送り方向の移動および位置の制御（すなわちトラバース制御）が行われる。
【００６０】
ベース２０の左側面部２４には、ガイドシャフト軸受部３５と、与圧スプリング３６とが設けられる。ガイドシャフト軸受部３５には、ガイドシャフト２３１が摺動可能に挿入される。ガイドシャフト２３１には、与圧スプリング３６により常時与圧が加えられ、これにより光ピックアップ装置２２０のトラバース制御の安定性が得られる。
【００６１】
光源ユニット４０は、光源ユニットホルダ４１を有し、当該光源ユニットホルダ４１には、光源１，２、合成プリズム１２、波長板１３、シリンドリカルレンズ１６、および受光素子１７が固定される。また、光源ユニットホルダ４１には、回折格子ホルダ（不図示）に固定された回折格子１１が回転可能に取り付けられ、スプリングプレート（不図示）で位置決めされている。光源ユニットホルダ４１は、光源１，２の光の出射方向が−Ｘ方向を向くように、ベース２０に固定ねじ４２により固定される。光源ユニット４０は、後面部２６の外面および左側面部２５の外面と隣接するように配置され、光源ユニット４０が取り付けられたベース２０は、Ｚ方向から見た場合に略長方形の形状を有する。後面部２６の波長板１３と対向する部分には、Ｘ方向に貫通する孔２６ａが形成されており、光源ユニット４０側からの光は当該孔２６ａを通ってベース２０側に入射し、ベース２０側からの光は当該孔２６ａを通って光源ユニット４０側に入射する。
【００６２】
対物レンズアクチュエータ５０は、対物レンズ３，４を保持し、当該対物レンズ３，４を駆動するものである。具体的には、対物レンズアクチュエータ５０には、対物レンズ３，４が光ディスクの半径方向（Ｘ方向）に並べて搭載される。対物レンズアクチュエータ５０は、対物レンズ３，４をフォーカス方向、トラック方向、およびチルト方向の３軸方向に駆動する。ここで、フォーカス方向は、ディスク回転軸方向に平行な方向（Ｚ方向）である。トラック方向は、光ディスクの半径方向（ラジアル方向）と平行な方向（Ｘ方向）である。チルト方向は、フォーカス方向およびトラック方向に直交するタンジェンシャル軸の軸回り方向である。対物レンズ３，４のフォーカス方向、トラック方向、およびチルト方向の駆動が制御されることにより、対物レンズ３，４のフォーカス制御、トラック制御、およびチルト制御が行われる。
【００６３】
対物レンズアクチュエータ５０は、図４，５に示されるように、ベース２０の−Ｘ方向側の領域を占めるようにベース２０に設置される。対物レンズアクチュエータ５０の対物レンズ３の直下（−Ｚ方向側）にはダイクロイックプリズム１４が設置され、対物レンズ４の直下（−Ｚ方向側）には三角ミラー１５が設置される。ダイクロイックプリズム１４および三角ミラー１５は、ベース２０に固定される。
【００６４】
球面収差補正装置７０は、対物レンズ３，４から光ディスクに照射されるレーザ光の球面収差を補正するための装置であり、球面収差補正レンズ９と、当該球面収差補正レンズ９を駆動する直動駆動装置７１とを有する。直動駆動装置７１は、球面収差補正レンズ９を保持し当該球面収差補正レンズ９を光軸方向（Ｘ方向）に移動させる。直動駆動装置７１による球面収差補正レンズ９の光軸方向の移動が制御されることにより、球面収差補正レンズ９の光軸方向の位置が制御され、これにより球面収差の補正が行われる。具体的には、直動駆動装置７１による球面収差補正レンズ９の位置の移動は、光ディスク上で最良な集光スポットが生成されるように制御される。球面収差補正レンズ９は、ＢＤ用の波長、ＤＶＤ用の波長、およびＣＤ用の波長に対応できる３波長対応レンズであり、球面収差補正レンズ９の光軸方向の位置は、記録または再生の対象となる光ディスクの種類（ＢＤ、ＤＶＤ、またはＣＤ）に応じて、当該光ディスクの種類に最適な位置となるように制御される。
【００６５】
球面収差補正装置７０は、ベース２０の対物レンズアクチュエータ５０の＋Ｘ方向側の領域を占めるようにベース２０に設置される。
【００６６】
以下、主に図７を参照して、対物レンズアクチュエータ５０および球面収差補正装置７０について具体的に説明する。
【００６７】
対物レンズアクチュエータ５０は、対物レンズ３，４を保持する可動部５１と、一端が可動部５１に固定された複数本（ここでは６本）のワイヤ５２ａ〜５２ｆと、当該複数本のワイヤ５２ａ〜５２ｆの他端が固定され、当該複数本のワイヤ５２ａ〜５２ｆを介して可動部５１を変位可能に支持する支持部５３とを含む。可動部５１および支持部５３は、複数本のワイヤ５２ａ〜５２ｆがＹ方向に延びるように、Ｙ方向に並べて配置される。可動部５１はベース２０に対して可動に設けられ、支持部５３はベース２０に対して固定的に設けられる。具体的には、対物レンズアクチュエータ５０は、ガイドシャフト２３１側（−Ｙ方向側）に可動部５１が配置され、スクリューシャフト２３２側（＋Ｙ方向側）に支持部５３が配置されるように構成される。すなわち、デッキ２００の振り出し方向側に可動部５１が配置され、振り出し方向とは反対側に支持部５３が配置される。
【００６８】
可動部５１は、図８に示されるように、光ディスクの情報記録面に対向する上面部５１ａと、上面部５１ａの支持部５３側の端部から−Ｚ方向に延びる第１の側面部５１ｂと、上面部５１ａの支持部５３側の反対側の端部から−Ｚ方向に延びる第２の側面部５１ｃとを有する。上面部５１ａには、対物レンズ３，４が配置される。複数本のワイヤ５２ａ〜５２ｆの一端は、第１の側面部５１ｂに固定される。具体的には、６本のワイヤのうち３本のワイヤ５２ａ〜５２ｃは第１の側面部５１ｂの＋Ｘ方向側の端部にＺ方向に並べて固定され、他の３本のワイヤ５２ｄ〜５２ｆ（図８では不図示）は第１の側面部５１ｂの−Ｘ方向側の端部にＺ方向に並べて固定される。
【００６９】
上面部５１ａ、第１の側面部５１ｂ、および第２の側面部５１ｃは、光源１側（＋Ｘ方向側）に開口５１ｄを有する送り方向（Ｘ方向）に延びる空間５１ｅを形成する。この空間５１ｅは、球面収差補正レンズ９から出射された−Ｘ方向の光を開口５１ｄから受け入れて対物レンズ３，４に導く光路を構成する。具体的には、ダイクロイックプリズム１４および三角ミラー１５は空間５１ｅ内に位置するように設けられ、球面収差補正レンズ９からの光は、開口５１ｄを通って空間５１ｅ内のダイクロイックプリズム１４または三角ミラー１５で反射し、対物レンズ３または４に入射する。
【００７０】
図７に示されるように、具体的には、可動部５１は、対物レンズ３，４を保持するレンズホルダ５４を有する。このレンズホルダ５４は、光ディスクの情報記録面に対向する上面部５４ａと、上面部５４ａの支持部５３側の端部から−Ｚ方向に延びる右側面部５４ｂと、上面部５４ａの支持部５３側の反対側の端部から−Ｚ方向に延びる左側面部５４ｃとを有する。Ｘ方向に垂直な平面で切断したときのレンズホルダ５４の断面形状は、Ｘ方向の全体に渡って、−Ｚ方向側に開いた略コの字形状となっている。可動部５１の上面部５４ａには、対物レンズ３，４が配置される。
【００７１】
対物レンズアクチュエータ５０は、コイルとマグネットによる電磁駆動力で対物レンズ３，４を駆動するものであり、レンズホルダ５４の右側面部５４ｂおよび左側面部５４ｃには、フォーカス制御用のコイル、トラック制御用のコイル、およびチルト制御用のコイルが取り付けられる。一方、ベース２０には、これらのコイルと対向する位置にマグネットが固定的に設置される。図７には、コイル５５，５６およびマグネット５７，５８が代表的に例示されている。レンズホルダ５４のＸ方向の両端面には、それぞれコイルに給電するための基板５９，６０が取り付けられる。基板５９，６０の形状は、Ｘ方向から見た場合に、レンズホルダ５４の形状と略一致する形状となっており、−Ｚ方向側に開いた略コの字形状となっている。
【００７２】
支持部５３は、ベース２０に固定されたサスペンションホルダ６１と、当該サスペンションホルダ６１に取り付けられた、可動部５１のコイルに給電するための基板６２とを有する。
【００７３】
ワイヤ（サスペンションワイヤとも呼ばれる）５２ａ〜５２ｆは、可動部５１を弾性的に支持するための弾性支持部材として機能するとともに、可動部５１のコイルに電流を流すための給電線として機能する。ワイヤ５２ａ〜５２ｃの可動部５１側の端部は、＋Ｘ方向側の基板５９に３箇所の半田部（不図示）で接合され、ワイヤ５２ｄ〜５２ｆの可動部５１側の端部は、−Ｘ方向側の基板６０に３箇所の半田部６０ａで接合される。基板５９の３箇所の半田部は、基板５９の支持部５３側の部分にＺ方向に並べて配置され、基板６０の３箇所の半田部６０ａは、基板６０の支持部５３側の部分にＺ方向に並べて配置される。ワイヤ５２ａ〜５２ｆは、可動部５１から支持部５３に向けてＹ方向に延びるように配置される。そして、ワイヤ５２ａ〜５２ｃの支持部５３側の端部は、基板６２の＋Ｘ方向側の端部に３箇所の半田部６２ａで接合され、ワイヤ５２ｄ〜５２ｆの支持部５３側の端部は、基板６２の−Ｘ方向側の端部に３箇所の半田部６２ｂで接合される。これにより、支持部５３側の基板６２から、ワイヤ５２ａ〜５２ｆ、基板５９，６０を介して可動部５１の各コイルに電流が供給される。可動部５１の各コイルに流される電流が制御されることにより、コイルとマグネットとの間に生じる電磁力が制御され、フォーカス制御、トラック制御、およびチルト制御の３軸方向制御が行われる。フォーカス制御方式としては例えば非点収差法を用いることができ、トラック制御方式としては例えばＤＰＰ（Ｄｉｆｆｅｒｅｎｔｉａｌ  Ｐｕｓｈ  Ｐｕｌｌ）法やＤＰＤ（Ｄｉｆｆｅｒｅｎｔｉａｌ  Ｐｈａｓｅ  Ｄｅｔｅｃｔｉｏｎ）法を用いることができる。
【００７４】
なお、電磁駆動方式の対物レンズアクチュエータの構成、フォーカス制御、トラック制御、およびチルト制御については、広く知られているので、ここでは詳しい説明を省略する。
【００７５】
球面収差補正装置７０は、球面収差補正レンズ９と、当該球面収差補正レンズ９を駆動する直動駆動装置７１とを有する。直動駆動装置７１は、レンズホルダ７２、メインガイドシャフト７３、サブガイドシャフト７４、駆動スクリュー７５、およびステッピングモータ７６を含む。
【００７６】
レンズホルダ７２は、球面収差補正レンズ９をＸ方向に移動可能に保持する部材である。レンズホルダ７２は、Ｙ方向に延びる形状を有し、−Ｙ方向側の端部で球面収差補正レンズ９を保持するように構成されている。レンズホルダ７２の＋Ｙ方向側の端部には、メインガイドシャフト７３を通すための精密な軸受部７２ａと、サブガイドシャフト７４を通すための軸受部７２ｂと、駆動スクリュー７５を通すための軸受部７２ｃとが設けられている。
【００７７】
メインガイドシャフト７３およびサブガイドシャフト７４は、レンズホルダ７２のＸ方向の移動を案内する部材である。メインガイドシャフト７３およびサブガイドシャフト７４は、それぞれシャフトの軸線方向がＸ方向を向くようにベース２０に設置される。また、メインガイドシャフト７３およびサブガイドシャフト７４は、メインガイドシャフト７３が−Ｙ方向側となりサブガイドシャフト７４が＋Ｙ方向側となるように、互いに所定間隔だけ離してベース２０に設置される。具体的には、図５に示されるように、ベース２０には、メインガイドシャフト用のＸ方向に延びる溝２８と、サブガイドシャフト用のＸ方向に延びる溝２９とが設けられ、メインガイドシャフト７３はメインガイドシャフト用の溝２８に挿入され、サブガイドシャフト７４はサブガイドシャフト用の溝２９に挿入される。そして、メインガイドシャフト７３およびサブガイドシャフト７４は、スプリングプレート７７と固定ねじ７８，７９、およびスプリングプレート８０と固定ねじ８１でベース２０に固定される。スプリングプレートによる荷重が確実にガイドシャフト７３，７４に加わるように、メインガイドシャフト用の溝２８の深さはメインガイドシャフト７３の直径より僅かに浅い深さとされ、サブガイドシャフト用の溝２９の深さはサブガイドシャフト７４の直径より僅かに浅い深さとされる。また、球面収差補正レンズ９の移動の真直精度を高めるように、メインガイドシャフト用の溝２８のＹ方向の幅は、メインガイドシャフト７３の直径と略同じ寸法とされる。サブガイドシャフト用の溝２９のＹ方向の幅は、サブガイドシャフト７４の直径より大きい寸法とされる。
【００７８】
図７において、駆動スクリュー７５は、レンズホルダ７２を駆動するための螺旋状の溝が形成された軸状の部材である。駆動スクリュー７５は、その軸線方向がＸ方向を向くように、レンズホルダ７２の軸受部７２ｃに挿入される。駆動スクリュー７５の回転によってレンズホルダ７２がＸ方向に移動するよう、軸受部７２ｃには駆動スクリュー７５の溝と噛み合う溝が形成される。駆動スクリュー７５は、Ｙ方向について、メインガイドシャフト７３とサブガイドシャフト７４との間に配置される。
【００７９】
ステッピングモータ７６は、球面収差補正レンズ９を駆動する駆動源である。具体的には、ステッピングモータ７６の回転軸には、駆動スクリュー７５の＋Ｘ方向側の端部が連結される。ステッピングモータ７６は駆動スクリュー７５を回転させ、これによりレンズホルダ７２および球面収差補正レンズ９をＸ方向に移動させる。ステッピングモータ７６の回転軸の回転が制御されることにより、球面収差補正レンズ９のＸ方向の位置が制御され、これにより球面収差の補正が行われる。なお、コリメータレンズの位置の制御による球面収差の補正については、広く知られているので、ここでは詳しい説明を省略する。
【００８０】
なお、ガタツキなく滑らかに高い真直精度を保ちながら球面収差補正レンズ９を移動させることができるように、レンズホルダ７２には、コイルスプリング８２によりガイドシャフト７３，７４の軸方向および回転方向に与圧が加えられる。
【００８１】
また、球面収差補正レンズ９から出射される光（コリメート光束）の占める空間を小さくする観点より、球面収差補正装置７０は、球面収差補正レンズ９が対物レンズアクチュエータ５０の可動部５１の近傍（＋Ｘ方向側）に配置されるように構成される。
【００８２】
また、対物レンズアクチュエータ５０の支持部５３の近傍（＋Ｘ方向側）にはレーザ光束の経路に係る光学部品がないことから、直動駆動装置７１の大部分、すなわちメインガイドシャフト７３、サブガイドシャフト７４、駆動スクリュー７５、およびステッピングモータ７６は、対物レンズアクチュエータ５０の支持部５３の近傍（＋Ｘ方向側）に配置される。
【００８３】
なお、上記トラバース制御、フォーカス制御、トラック制御、チルト制御、球面収差の補正制御は、例えば制御装置５００により行われる。
【００８４】
＜光ピックアップ装置の寸法＞
以下、上記構成を有する光ピックアップ装置２２０の寸法について説明する。
図５に示されるように、スクリューシャフト軸受部３１，３２およびガイドシャフト軸受部３５を除いた光ピックアップ装置２２０の本体部分のＹ方向の幅（すなわち右側面部２３の外面から左側面部２４の外面までのＹ方向の幅）は、対物レンズアクチュエータ５０のＹ方向の幅と略等しくなっている。
【００８５】
また、図６に示されるように、光ピックアップ装置２２０の本体部分のＺ方向の高さ（すなわち底面部２１の下面から対物レンズ３，４の上面までのＺ方向の高さ）は、対物レンズアクチュエータ５０のＺ方向の高さと略等しくなっている。
【００８６】
また、図５に示されるように、ディスク回転軸方向（Ｚ方向）から見た場合に、対物レンズ３，４は、スクリューシャフト２３２（またはスクリューシャフト軸受部３１，３２）よりもガイドシャフト２３１（またはガイドシャフト軸受部３５）に近い位置に配置される。すなわち、対物レンズ３，４が並べられる直線ＬＸからデッキ振り出し方向側のガイドシャフト２３１までのＹ方向の距離は、直線ＬＸからデッキ振り出し方向側とは反対側のスクリューシャフト２３２までのＹ方向の距離よりも短い。図５の例では、Ｚ方向から見た場合に、対物レンズ３の中心から光ピックアップ装置２２０の本体部分の−Ｙ方向側の外面（すなわち左側面部２４の外面、またはガイドシャフト軸受部３５の右端）までのＹ方向の距離は、対物レンズ３の中心から光ピックアップ装置２２０の本体部分の＋Ｙ方向側の外面（すなわち右側面部２３の外面、またはスクリューシャフト軸受部３１，３２の左端）までのＹ方向の距離より１／２程度に小さい。一つの具体的な構成例では、Ｚ方向から見た場合に、対物レンズ３の中心から光ピックアップ装置２２０の本体部分の−Ｙ方向側の外面までのＹ方向の距離は約１０ｍｍであり、対物レンズ３の中心から光ピックアップ装置２２０の本体部分の＋Ｙ方向側の外面までのＹ方向の距離は約２０ｍｍである。すなわち、光ピックアップ装置２２０の本体部分のＹ方向の幅は、約３０ｍｍである。
【００８７】
以上説明した本実施の形態１によれば、下記（１）〜（９）の効果が得られ得る。
（１）ディスク回転軸方向から見た場合に、光ディスクの回転軸を通り送り方向に平行な直線上に、第１および第２の対物レンズと、第１の光源とが並べて配置される。これにより、ディスク回転軸方向および送り方向の両方に垂直な方向の光ピックアップ装置の寸法を小さくすることができる。具体的には、光ピックアップ装置の光学系を上記送り方向に平行な直線に沿って形成することができ、これによりディスク回転軸方向および送り方向の両方に垂直な方向（Ｙ方向）の光ピックアップ装置の寸法を小さくすることができる。また、光ディスクの回転軸中心を通り送り方向に平行な直線と対物レンズとのオフセット距離（オフセンタという）を小さく（例えば０または略０に）することができ、光ピックアップ装置の制御（例えばトラッキング制御）を容易にすることができる。
【００８８】
また、上記の構成により光ピックアップ装置を小型化することにより、ＢＤ／ＤＶＤ／ＣＤの３種類の光ディスクに対応する１ＤＩＮサイズのデッキ振り出し方式のチェンジャー式光ディスク装置を実現することができる。
【００８９】
図９は、光ディスク装置１０００の寸法を説明するための光ディスク装置１０００の概略上面図である。
【００９０】
図９において、光ディスク装置１０００を１ＤＩＮ規格のサイズ（横幅１８０ｍｍ、高さ５０ｍｍ）に収めるためには、筐体４００の横幅（すなわち格納装置１００およびデッキ２００が並ぶ方向の幅）Ｗ１は、１８０ｍｍ以下にされる必要がある。
【００９１】
光ディスクの直径は、ＢＤ、ＤＶＤ、ＣＤともに１２０ｍｍである。したがって、格納領域１１０の横幅が最大となる前後方向位置において、格納領域１１０の横幅Ｗ２は１２０ｍｍである。
【００９２】
筐体４００の左側面部４２０と格納領域１１０との間には、光ディスク移動機構１２０などが配置されるため、左側面部４２０と格納領域１１０との間の間隔の幅Ｗ３は、約１０ｍｍとされる。また、筐体４００の右側面部４３０とデッキ２００との間には、デッキ回転機構３００などが配置されるため、右側面部４３０とデッキ２００との間の間隔の幅Ｗ４は、約１０ｍｍとされる。
【００９３】
したがって、格納領域１１０の横幅が最大となる前後方向位置において、デッキ２００に許容される横幅は最小となり、デッキ２００は、当該前後方向位置において横幅が約４０ｍｍ以下となるように構成される必要がある。そして、デッキ２００に搭載される光ピックアップ装置２２０は、上記デッキ２００に許容される最小の横幅に合わせて構成される必要がある。
【００９４】
具体的には、デッキ２００の左端部にはガイドシャフト２３１およびガイドシャフト軸受部３５が配置され、デッキ２００の右端部にはスクリューシャフト２３２およびスクリューシャフト軸受部３１，３２が配置される。デッキ２００の左端と光ピックアップ装置２２０の本体部分の左端との間の幅Ｗ５と、デッキ２００の右端と光ピックアップ装置２２０の本体部分の右端との間の幅Ｗ６との合計は約１０ｍｍである。
【００９５】
したがって、上記デッキ２００に搭載するためには、光ピックアップ装置２２０は、その本体部分の横幅が約３０ｍｍ以下となるように構成される必要がある。
【００９６】
本実施の形態によれば、本体部分の横幅が３０ｍｍ以下の光ピックアップ装置２２０、すなわち上記デッキ２００に搭載可能な小型の光ピックアップ装置２２０を構成することができ、ＢＤ／ＤＶＤ／ＣＤの３種類の光ディスクに対応する１ＤＩＮサイズのデッキ振り出し方式のチェンジャー式光ディスク装置を実現することができる。
【００９７】
なお、特許文献２に記載された構成では、ディスク回転軸方向から見た場合に、２個の対物レンズおよびＤＶＤ用の光源が送り方向に垂直な直線上に配置されている。したがって、特許文献２に記載された構成では、送り方向に垂直な方向の寸法が大きくなり、上記１ＤＩＮサイズの光ディスク装置のデッキに搭載可能な光ピックアップ装置を構成することができない。
【００９８】
（２）光ピックアップ装置の光学系は、第１の光源からの光と第２の光源からの光とを送り方向の共通の光路に合成する合成部と、共通の光路からの光を、第１の対物レンズに向かう第１の光源からの光と、第２の対物レンズに向かう第２の光源からの光とに分解する分解部とを含む。このように第１の光源の光と第２の光源の光とを送り方向の共通の光路に合成することにより、ディスク回転軸方向および送り方向の両方に垂直な方向（Ｙ方向）の寸法を小さくすることができる。
【００９９】
（３）光ピックアップ装置の光学系は、上記共通の光路に配置された、球面収差の補正を行うための球面収差補正レンズを含む。これにより、第１の光源の光と第２の光源の光とで球面収差補正レンズを共用でき、光ピックアップ装置を小型化することができる。また、ディスク回転軸方向から見た場合に、光ディスクの回転軸を通り送り方向に平行な直線上に、第１および第２の対物レンズと、球面収差補正レンズと、第１の光源とが並べて配置される構成により、ディスク回転軸方向および送り方向の両方に垂直な方向の光ピックアップ装置の寸法を小さくすることができる。
【０１００】
（４）第２の光源は、ディスク回転軸方向および送り方向の両方に垂直な方向（Ｙ方向）に第１の光源と隣接して配置される。これにより、ディスク回転軸方向および送り方向の両方に垂直な方向（Ｙ方向）の寸法、並びにディスク回転軸方向（Ｚ方向）の寸法（厚さ）を小さくすることができる。
【０１０１】
（５）対物レンズアクチュエータの可動部は、第１および第２の対物レンズが配置される上面部と、第１の側面部と、第２の側面部とを備え、上面部、第１の側面部、および第２の側面部が、第１の光源側に開口を有する送り方向に延びる空間を形成する。これにより、光源からの光を可動部の横側の開口から可動部内に入射させることができ、可動部の下側から光を入射させる構成と比較して、光ピックアップ装置のディスク回転軸方向の寸法（上下方向の寸法、厚さ）を小さくすることが可能となる。具体的には、上下方向について、対物レンズアクチュエータの可動部の位置を光源の光の出射位置と略同じにすることができ、可動部の下側から光を入射させる構成と比較して、可動部を低い位置に配置することができ、光ピックアップ装置の薄型化を図ることができる。
【０１０２】
（６）上記分解部は、第１および第２の光源のうち一方の光源からの光を第１および第２の対物レンズのうち対応する対物レンズに向けて反射し、他方の光源からの光を透過させるダイクロイックプリズムと、ダイクロイックプリズムを透過した他方の光源からの光を第１および第２の対物レンズのうち対応する対物レンズに向けて反射する三角ミラーとを含む。これによれば、小型の構成で分解部を実現することができ、光ピックアップ装置を小型化することができる。
【０１０３】
（７）振り出し方式のチェンジャー式光ディスク装置において、ディスク回転軸方向から見た場合に、第１および第２の対物レンズは、格納領域側の反対側に配置される第２のガイドシャフトよりも格納領域側に配置される第１のガイドシャフトに近い位置に配置される。これにより、ディスク回転軸方向および送り方向の両方に垂直な方向の光ディスク装置の寸法を小さくすることができる。以下、これについて図９を参照して説明する。
【０１０４】
図９に示されるように、格納領域１１０の横幅が最大となる前後方向位置において、デッキ２００に許容される横幅は最小となる。当該前後方向位置から前方向または後方向に遠ざかるにつれ、デッキ２００に許容される横幅は大きくなる。したがって、当該前後方向位置においてデッキ２００に許容される最左端を通り前後方向に平行な直線ＬＬと、格納領域１１０との間には、デッキ２００に許容されるスペースＳ（斜線ハッチングで示される領域）が広がる。
【０１０５】
ここで、ディスク回転軸方向から見た場合に、対物レンズ３，４（または直線ＬＸ）を、スクリューシャフト２３２よりもガイドシャフト２３１に近い位置に配置した場合、スペースＳを利用してターンテーブル２１３やスピンドルモータ２１２を配置することができ、光ディスク装置１０００の横幅を小さくすることができる。
【０１０６】
上記の構成とは逆に、対物レンズ３，４（または直線ＬＸ）を、ガイドシャフト２３１よりもスクリューシャフト２３２に近い位置に配置した場合には、スクリューシャフト２３２より右側の領域にターンテーブル２１３やスピンドルモータ２１２が配置され、上記の構成と比較して、デッキ２００のスクリューシャフト２３２側の端部（すなわち右端）が右方向にシフトし、光ディスク装置１０００の横幅が大きくなることが考えられる。
【０１０７】
（８）対物レンズアクチュエータは、第１のガイドシャフト側に可動部が配置され、第２のガイドシャフト側に支持部が配置されるように構成される。この構成によれば、第１および第２の対物レンズを第２のガイドシャフトよりも第１のガイドシャフトに近い位置に配置することができ、上記（７）の通り光ディスク装置の寸法を小さくすることができる。
【０１０８】
（９）第１および第２の光源のうち少なくとも１つ（上記の例では第２の光源）は、送り方向から見た場合に、略長方形の外形を有し、当該外形の幅が狭い方向が情報記録面と平行となるように配置される。この構成によれば、ディスク回転軸方向および送り方向の両方に垂直な方向（Ｙ方向）の光ピックアップ装置の寸法を小さくすることができる。具体的には、第１および第２の光源として円筒型パッケージと平面型パッケージとをＹ方向に並べて、平面型パッケージの外形の幅が狭い方向が情報記録面と平行となるように配置することにより、光ディスク装置１０００を実現するための（具体的にはデッキ２００に搭載するための）所定の寸法以下の光ピックアップ装置を構成することが可能になる。
【０１０９】
実施の形態２．
図１０および図１１は、それぞれ、実施の形態２における光ピックアップ装置６２０の構成の一例を示す上面図および背面図である。この光ピックアップ装置６２０は、実施の形態１のものと殆ど同じであるので、実施の形態１と同様の部分については、同一の符号を用い、説明を省略または簡略化することとする。
【０１１０】
本実施の形態では、光ピックアップ装置６２０は、第１の光源としてＢＤ用ホログラムレーザユニット６２１を有し、第２の光源としてＤＶＤ／ＣＤ用ホログラムレーザユニット６２２を有する。
【０１１１】
ＢＤ用ホログラムレーザユニット６２１は、ＢＤ用のレーザ光を出射するレーザ素子と、ＢＤからの戻り光を受光する受光素子と、ＢＤからの戻り光を受光素子に導く（信号検出用の）ホログラム素子とを内蔵したユニットである。すなわち、ＢＤ用ホログラムレーザユニット６２１は、レーザ出射およびレーザ受光の両方の機能を有し、当該両方の機能を持たせるための（小型の）プリズムが設けられたものである。そのため、ＢＤ用ホログラムレーザユニット６２１のパッケージ形状は、送り方向（Ｘ方向）から見た場合に、略長方形となっている。そして、ＢＤ用ホログラムレーザユニット６２１は、当該外形の幅が狭い方向（短辺の方向）が光ディスクの情報記録面と平行となり、幅が広い方向（長辺の方向）が光ディスクの情報記録面と垂直となるように配置される。
【０１１２】
ＤＶＤ／ＣＤ用ホログラムレーザユニット６２２は、ＤＶＤ用のレーザ光およびＣＤ用のレーザ光を出射するレーザ素子と、ＤＶＤおよびＣＤからの戻り光を受光する受光素子と、ＤＶＤおよびＣＤからの戻り光を受光素子に導く（信号検出用の）ホログラム素子とを内蔵したユニットである。すなわち、ＤＶＤ／ＣＤ用ホログラムレーザユニット６２２は、レーザ出射およびレーザ受光の両方の機能を有し、当該両方の機能を持たせるための（小型の）プリズムが設けられたものである。そのため、ＤＶＤ／ＣＤ用ホログラムレーザユニット６２２のパッケージ形状は、送り方向（Ｘ方向）から見た場合に、略長方形となっている。そして、ＤＶＤ／ＣＤ用ホログラムレーザユニット６２２は、当該外形の幅が狭い方向（短辺の方向）が光ディスクの情報記録面と平行となり、幅が広い方向（長辺の方向）が光ディスクの情報記録面と垂直となるように配置される。
【０１１３】
光ピックアップ装置６２０のＢＤ用の光学系の構成および作用は次の通りである。ＢＤ用の光学系は、ＢＤ用ホログラムレーザユニット６２１、合成プリズム６２３、球面収差補正レンズ９、ダイクロイックプリズム１４（不図示）、および対物レンズ３により構成される。
【０１１４】
ＢＤ用ホログラムレーザユニット６２１は−Ｘ方向（送り方向）に光を出射するように配置されており、ＢＤ用ホログラムレーザユニット６２１からの光の進行方向には、合成プリズム６２３、球面収差補正レンズ９、およびダイクロイックプリズム１４が、この順序でＸ方向に直線状に並べて配置される。
【０１１５】
ＢＤ用ホログラムレーザユニット６２１から出射されたＢＤ用のレーザ光は、合成プリズム６２３を透過し、球面収差補正レンズ９、ダイクロイックプリズム１４、対物レンズ３を経てＢＤの情報記録面に集光する。ＢＤの情報記録面で反射した戻り光は、対物レンズ３、ダイクロイックプリズム１４、球面収差補正レンズ９を経て合成プリズム６２３に入射し、合成プリズム６２３を透過してＢＤ用ホログラムレーザユニット６２１内の受光素子に入射する。
【０１１６】
また、光ピックアップ装置６２０のＤＶＤおよびＣＤ用の光学系の構成および作用は次の通りである。ＤＶＤおよびＣＤ用の光学系は、ＤＶＤ／ＣＤ用ホログラムレーザユニット６２２、折り曲げミラー６２４、合成プリズム６２３、球面収差補正レンズ９、ダイクロイックプリズム１４（不図示）、三角ミラー１５（不図示）、および対物レンズ４により構成される。
【０１１７】
ＤＶＤ／ＣＤ用ホログラムレーザユニット６２２は、その光の出射方向がＢＤ用ホログラムレーザユニット６２１の光の出射方向と同じ方向（−Ｘ方向）となり、その光の出射位置の高さ（すなわちＺ方向の位置）がＢＤ用ホログラムレーザユニット６２１の光の出射位置の高さと同じとなるように配置される。折り曲げミラー６２４は、ＤＶＤ／ＣＤ用ホログラムレーザユニット６２２の−Ｘ方向側かつ合成プリズム６２３の−Ｙ方向側に配置される。
【０１１８】
ＤＶＤ／ＣＤ用ホログラムレーザユニット６２２から出射されたＤＶＤまたはＣＤ用のレーザ光は、折り曲げミラー６２４で＋Ｙ方向に直角に折り曲げられた後、合成プリズム６２３でさらに−Ｘ方向に直角に折り曲げられる。すなわち、折り曲げミラー６２４および合成プリズム６２３は、ＤＶＤ／ＣＤ用ホログラムレーザユニット６２２からのＤＶＤまたはＣＤ用のレーザ光の光路を、ＢＤ用ホログラムレーザユニット６２１からのＢＤ用のレーザ光の光路と一致させる。合成プリズム６２３から出射されたＤＶＤまたはＣＤ用のレーザ光は、球面収差補正レンズ９、ダイクロイックプリズム１４、三角ミラー１５、対物レンズ４を経てＤＶＤまたはＣＤの情報記録面に集光する。ＤＶＤまたはＣＤの情報記録面で反射した戻り光は、三角ミラー１５、ダイクロイックプリズム１４、球面収差補正レンズ９、合成プリズム６２３、折り曲げミラー６２４を経てＤＶＤ／ＣＤ用ホログラムレーザユニット６２２内の受光素子に入射する。
【０１１９】
光ピックアップ装置６２０の具体的な構成について説明すると、本実施の形態では、光源ユニット６４０は、光源ユニットホルダ６４１を有し、当該光源ユニットホルダ６４１に、ＢＤ用ホログラムレーザユニット６２１およびＤＶＤ／ＣＤ用ホログラムレーザユニット６２２が固定される。光源ユニットホルダ６４１は、実施の形態１の光源ユニットホルダ４１と同様に、ベース２０に固定ねじ４２により固定される。ベース２０の後面部２６のＢＤ用ホログラムレーザユニット６２１と対向する部分およびＤＶＤ／ＣＤ用ホログラムレーザユニット６２２と対向する部分には、それぞれレーザ光を通すための孔２６ｂおよび２６ｃが形成される。
【０１２０】
光ピックアップ装置６２０の寸法についての説明は、実施の形態１における光ピックアップ装置２２０の寸法についての説明と同様である。光ピックアップ装置６２０は、光ピックアップ装置２２０の代わりに、光ディスク装置１０００に搭載可能である。
【０１２１】
以上説明した本実施の形態２によれば、上記（１）〜（８）の効果の他に、下記（１０）の効果が得られ得る。
（１０）第１および第２の光源は、いずれも、送り方向から見た場合に、略長方形の外形を有し、当該外形の幅が狭い方向が情報記録面と平行となるように配置される。この構成によれば、ディスク回転軸方向および送り方向の両方に垂直な方向（Ｙ方向）の光ピックアップ装置の寸法を小さくすることができる。具体的には、第１および第２の光源として２つの平面型パッケージを、それぞれの外形の幅が狭い方向が情報記録面と平行となるように、Ｙ方向に並べて配置することにより、光ディスク装置１０００を実現するための（具体的にはデッキ２００に搭載するための）所定の寸法以下の光ピックアップ装置を構成することが可能になる。
【０１２２】
実施の形態３．
以下、実施の形態３における光ピックアップ装置について説明する。この光ピックアップ装置は、実施の形態１のものと殆ど同じであるので、実施の形態１と同様の部分については、同一の符号を用い、説明を省略または簡略化することとする。
【０１２３】
図１２は、実施の形態３における対物レンズアクチュエータ５０の可動部５１の構成を示す斜視図である。
【０１２４】
図１２に示されるように、可動部５１は、光ディスクの情報記録面に対向する上面部５１ａと、上面部５１ａの支持部５３側の端部から、情報記録面から遠ざかる方向（−Ｚ方向）に延びる第１の側面部５１ｂと、上面部５１ａの支持部５３側の反対側の端部から、情報記録面から遠ざかる方向（−Ｚ方向）に延びる第２の側面部５１ｃとを有する。上面部５１ａには、対物レンズ３，４が配置される。また、可動部５１は、当該可動部５１をそれぞれフォーカス方向およびトラック方向に駆動するための電磁コイルであるトラックコイル７８１およびフォーカスコイル７８２を有する。トラックコイル７８１およびフォーカスコイル７８２は、第１の側面部５１ｂの外側および第２の側面部５１ｃの外側、すなわち可動部５１のＹ方向の両側に配置されている。具体的には、第１の側面部５１ｂおよび第２の側面部５１ｃのそれぞれには、Ｘ方向（送り方向）の両側にトラックコイル７８１が配置され、Ｘ方向の中央部にフォーカスコイル７８２が配置されている。
【０１２５】
上面部５１ａ、第１の側面部５１ｂ、および第２の側面部５１ｃ（以下、「可動部５１の本体部」と称す）は、Ｘ方向の両側に開口５１ｄ，５１ｆを有するＸ方向に延びる空間５１ｅを形成し、Ｘ方向に垂直な平面で切断したとき、下側に開いたコの字状の断面を有する。空間５１ｅは、球面収差補正レンズ９から出射された−Ｘ方向の光を開口５１ｄから受け入れて対物レンズ３，４に導く光路を構成する。すなわち、可動部５１は、光源１側（すなわちディスク回転軸と反対側）の開口５１ｄから光源１，２の光が入射するように構成されている。具体的には、空間５１ｅ内には、光源１，２からの光を対物レンズ３，４に導くための光学部品が配置され、球面収差補正レンズ９からの光源１，２の光は、当該光学部品によりそれぞれ対物レンズ３，４に入射させられる。光学部品は、具体的には、分解部８であり、ここでは、対物レンズ３の直下に配置されるダイクロイックプリズム１４および対物レンズ４の直下に配置される三角ミラー１５である。
【０１２６】
サーボ安定性等の観点より、可動部５１については、１０ｋＨｚから５０ｋＨｚの周波数帯域で、構造的な共振が小さく抑制されていることが要求される。可動部５１は、開口５１ｄから光束を対物レンズに導くため、コの字状の断面構造を有しているが、このような構造は一般的に固有振動モードに起因する共振が大きくなりやすい。具体的には、トラックコイル７８１の駆動力によるねじれモード共振と、フォーカスコイル７８２の駆動力によるコの字が開く方向の曲げモード共振が大きくなりやすい。例えば、図１２を参照すると、トラックコイル７８１の駆動力は、図中矢印Ｔ方向（Ｘ方向）に発生するので、固有振動モードの一つである、側面部５１ｂと側面部５１ｃとが互いに逆位相で矢印Ｔ方向に変形するねじれモード共振が励起される。また、フォーカスコイル７８２の駆動力は、図中矢印Ｆ方向（Ｚ方向）に発生するので、側面部５１ｂと側面部５１ｃとの間が閉じたり開いたりする曲げモード共振が励起される。このようなねじれモード共振や曲げモード共振は、サーボ安定性を妨げる要因となる。
【０１２７】
低次の共振については、共振モードの変形が大きくならないように変形方向に対する構造的な剛性を高めることが、共振を抑制する手段となる。
【０１２８】
本実施の形態における対物レンズアクチュエータ５０では、共振モードに対する剛性を高くするため、可動部５１の構造が単純なコの字断面構造にならないように、可動部５１に突起部（内部ホルダーともいう）７８０が設けられる。突起部７８０は、側面部５１ｂの裏面（空間５１ｅ側の面）と、上面部５１ａの裏面（空間５１ｅ側の面）と、側面部５１ｃの裏面（空間５１ｅ側の面）とに連なり、空間５１ｅ側に突出する連続した構造を有する。具体的には、突起部７８０は、上面部５１ａの裏面に連なる（または接する）平板部７８０ａと、側面部５１ｂの裏面に連なる（または接する）突起部７８０ｂと、側面部５１ｃの裏面に連なる（または接する）突起部７８０ｃとを有する。平板部７８０ａの中央部分には、対物レンズ４に光を導くための円形状の孔７８０ｄが設けられている。
【０１２９】
また、突起部７８０は、光源１，２からの光を対物レンズ３，４に導く空間５１ｅ内の光学部品との干渉を避けるための斜面７８０ｓを有する。図１２の例では、突起部７８０は、上面部５１ａの対物レンズ４を保持する部分の裏側に配置されており、斜面７８０ｓは、対物レンズ４の直下の三角ミラー１５との干渉を避けるように形成されている。具体的には、斜面７８０ｓは、光源１，２からの光の入射方向とは反対側の斜め下方向を向くように形成されており、Ｘ方向およびＺ方向に対して４５度の傾斜を有する。突起部７８０は、Ｙ方向から見た場合に、Ｘ方向に平行な辺と、Ｚ方向に平行な辺と、Ｘ方向およびＹ方向に対して４５度の辺とを有する略三角形の外形を有する。
【０１３０】
突起部７８０の材料としては、例えば可動部５１の本体部と同じ材料が用いられ、例えば可動部５１の本体部と同じく液晶ポリマー（ＬＣＰ：Ｌｉｑｕｉｄ  Ｃｒｙｓｔａｌ  Ｐｏｌｙｍｅｒ）が使用される。
【０１３１】
また、突起部７８０は、可動部５１の本体部に対して接着固定されてもよいし、金型を用いて本体部と同時成型されてもよい。
【０１３２】
一つの態様では、突起部７８０は、その材料として熱伝導率を高くしたＬＣＰやポリフェニレンサルファイド（ＰＰＳ：Ｐｏｌｙｐｈｅｎｙｌｅｎｅ  ｓｕｌｆｉｄｅ）を使用して成型され、可動部５１の本体部に接着固定される。この場合、対物レンズが固定される上面部５１ａの温度勾配を小さくできるため、対物レンズの温度勾配に起因する光学特性の変動を抑制することが可能になり、これにより、例えば光ピックアップ装置の制御における温度補償機能を省くことが可能になる。
【０１３３】
以上説明した本実施の形態３によれば、上記（１）〜（９）の効果の他に、下記（１１）の効果が得られ得る。
（１１）可動部は、第１の側面部の裏面と、上面部の裏面と、第２の側面部の裏面とに連なり、空間側に突出する連続した突起部であって、第１および第２の光源からの光を第１および第２の対物レンズに導く空間内の光学部品との干渉を避けるための斜面を有する突起部をさらに備える。この構成によれば、ねじれモード共振と曲げモード共振の振幅を抑制し、安定したサーボ特性を得ることができる。具体的には、ねじれ変形および曲げ変形に対する剛性が高くなり、ねじれ変形および曲げ変形が抑制され、共振が抑制される。
【０１３４】
なお、本実施の形態３における可動部は、実施の形態２における光ピックアップ装置６２０に適用されてもよい。
【０１３５】
実施の形態４．
以下、実施の形態４における光ピックアップ装置について説明する。この光ピックアップ装置は、実施の形態１のものと殆ど同じであるので、実施の形態１と同様の部分については、同一の符号を用い、説明を省略または簡略化することとする。
【０１３６】
図１３は、光源１に搭載される半導体レーザ（レーザダイオード）８９０とそのレーザ出射光の放射強度分布を示す図である。図１３（ａ）は、半導体レーザ８９０の接合面（接合境界面ともいう）８９１に垂直な方向から見た様子を示し、図１３（ｂ）は、半導体レーザ８９０の接合面８９１に平行で出射光の光軸８９２に垂直な方向から見た様子を示し、図１３（ｃ）は、光軸８９２の方向から見た様子を示す。
【０１３７】
図１３（ａ）には、半導体レーザ８９０の接合面８９１に対して平行な方向の放射強度分布８９３ａおよび放射角（水平放射角）θ／／が示されている。図１３（ｂ）には、半導体レーザ８９０の接合面８９１に対して垂直な方向の放射強度分布８９３ｂおよび放射角（垂直放射角）θ⊥が示されている。図１３（ｃ）には、半導体レーザ８９０の出射光の断面形状８９４が示されている。
【０１３８】
図１３に示されるように、半導体レーザ８９０に駆動電流８９５が流されたとき、光の性質により、半導体レーザ８９０の接合面８９１に対して平行な方向の放射強度分布８９３ａが狭く（すなわち水平放射角θ／／が小さく）、半導体レーザ８９０の接合面８９１に対して垂直な方向の放射強度分布８９３ｂが広い（すなわち垂直放射角θ⊥が大きい）、楕円形状の断面形状８９４を有するレーザ光が出力される。
【０１３９】
光ピックアップ装置２２０の光学系は、図１３（ｃ）に示される楕円形状の出射光のうち、中央の円形状の領域Φを切り取り、当該領域Φの光を対物レンズ３に導いて光ディスク上に集光させるように構成されている。具体的には、光ピックアップ装置２２０の光学系は、球面収差補正レンズ９の手前側に開口構造（アパーチャ）を有し、球面収差補正レンズ９への入射前に出射光から領域Φを切り取るように構成されている。このとき、切り取った断面で比較すると、接合面８９１に対して垂直な方向の放射強度分布８９３ｂにおける強度変化Ｄ２は小さく、接合面８９１に対して平行な方向の放射強度分布８９３ａにおける強度変化Ｄ１は大きい。対物レンズにより集光されるとき、強度変化が小さい垂直方向については、ぼやけが少ないはっきりした輪郭をもつスポット形状が得られ、強度変化が大きい平行方向については、境界がややぼけて輪郭がはっきりしないスポット形状になる。
【０１４０】
上記と同様に、光源２に搭載される半導体レーザも、接合面に対して平行な方向の放射強度分布が狭く（水平放射角θ／／が小さく）、接合面に対して垂直な方向の放射強度分布が広い（垂直放射角θ⊥が大きい）、断面楕円形状のレーザ光を出力する。そして、光ピックアップ装置２２０の光学系は、光源２の半導体レーザの出射光のうち、中央の円形状の領域を切り取り、当該領域の光を対物レンズ４に導いて光ディスク上に集光させるように構成される。
【０１４１】
光ディスク上のデータピット列に集光したレーザスポットをトレースするとき、いわゆるジッター性能が高く得られるようにするためには、データピットの進行方向における光の強度変化を明確に検出できることが望ましい。
【０１４２】
本実施の形態では、再生時のジッター性能が高く得られるようにする観点より、光源１および光源２は、いずれも、当該光源に含まれる半導体レーザのレーザ光の放射角の広い方向（具体的には接合面に対して垂直な方向）と、光ディスクのデータピット列の方向（図５のＹ方向）とが一致するように構成される。具体的には、光源１および光源２は、いずれも、そのレーザ光の放射角の広い方向（具体的には接合面に対して垂直な方向）が光ディスクの情報記録面と平行となるように配置される。
【０１４３】
以上説明した本実施の形態４によれば、上記（１）〜（９）の効果の他に、下記（１２）の効果が得られ得る。
（１２）第１の光源から出射される光の光軸は、ディスク回転軸の方向から見た場合に、直線ＬＸ上にあり、第２の光源から出射される光の光軸は、第１の光源から出射される光の光軸と平行に配置される。第１および第２の光源は、いずれも、互いに直交する２つの方向で異なるレーザ光の放射角を有し、当該２つの方向のうち放射角の広い方向が光ディスクの情報記録面と平行となるように配置される。この構成によれば、再生時のジッター性能が高く得られ、光ディスク装置の性能を向上させることができる。
【０１４４】
また、第１および第２の光源として小径の円筒型パッケージと平面型パッケージとを、平面型パッケージの外形の幅が狭い方向が情報記録面と平行となるように、Ｙ方向に並べて配置し、さらに、第１および第２の光源をレーザ光の放射角の広い方向が情報記録面と平行となるように配置することにより、小型で再生性能に優れた光ピックアップ装置を構成することができる。
【０１４５】
なお、本実施の形態４における構成は、実施の形態２における光ピックアップ装置６２０に適用されてもよい。この場合、ＢＤ用ホログラムレーザユニット６２１およびＤＶＤ／ＣＤ用ホログラムレーザユニット６２２は、いずれも、当該ユニットに含まれる半導体レーザのレーザ光の放射角の広い方向（具体的には接合面に対して垂直な方向）と、光ディスクのデータピット列の方向（図１０のＹ方向）とが一致するように構成される。具体的には、ＢＤ用ホログラムレーザユニット６２１およびＤＶＤ／ＣＤ用ホログラムレーザユニット６２２は、いずれも、そのレーザ光の放射角の広い方向（具体的には接合面に対して垂直な方向）が光ディスクの情報記録面と平行となるように配置される。
【０１４６】
また、本実施の形態４における構成は、実施の形態３における光ピックアップ装置に適用されてもよい。
【０１４７】
なお、本発明は、上記実施の形態に限定されるものではなく、本発明の要旨を逸脱しない範囲内において種々の態様で実施することができる。
【０１４８】
例えば、光ピックアップ装置２２０，６２０の光学系は、上記実施の形態に限定されず、適宜、光学部品の追加や、削除、変更が可能である。例えば、コリメータレンズを移動させて球面収差を補正する代わりに、ビームエキスパンダレンズを移動させて球面収差の補正を行ってもよい。すなわち、球面収差補正レンズは、ビームエキスパンダレンズなど、他のレンズであってもよい。また、球面収差補正レンズにより球面収差を補正する代わりに、液晶素子により球面収差の補正を行ってもよい。また、球面収差の補正が必要とされない場合には、球面収差を補正するための手段は省略されてもよい。また、上記実施の形態では、第１の光源側から見て、第１および第２の対物レンズのうち第１の対物レンズを手前側に配置しているが、第２の対物レンズを手前側に配置することも可能である。
【０１４９】
また、上記の説明では、光ピックアップ装置をＢＤ／ＤＶＤ／ＣＤの３種類の光ディスクに対応する１ＤＩＮサイズのデッキ振り出し方式のチェンジャー式光ディスク装置に適用する場合を例示したが、光ピックアップ装置が適用される装置はこれに限定されず、他の光ディスク装置に適用されてもよい。
【符号の説明】
【０１５０】
１  第１の光源、  ２  第２の光源、  ３  第１の対物レンズ、  ４  第２の対物レンズ、  ５  光学系、  ６  共通の光路、  ７  合成部、  ８  分解部、  ９  球面収差補正レンズ、  １１  回折格子、  １２  合成プリズム、  １３  波長板、  １４  第１の折り曲げミラー（ダイクロイックプリズム）、  １５  第２の折り曲げミラー（三角ミラー）、  １６  シリンドリカルレンズ、  １７  受光素子、  ２０  ベース、  ４０  光源ユニット、  ４１  光源ユニットホルダ、  ５０  対物レンズアクチュエータ、  ５１  可動部、  ５１ａ  上面部、  ５１ｂ  第１の側面部、  ５１ｃ  第２の側面部、  ５１ｄ，５１ｆ  開口、  ５１ｅ  空間、  ５２ａ〜５２ｆ  ワイヤ、  ５３  支持部、  ７０  球面収差補正装置、  １００  格納装置、  １１０  格納領域、  １２０  光ディスク移動機構、  ２００  デッキ、  ２１０  光ディスク回転機構、  ２１１  回転軸、  ２１２  スピンドルモータ、  ２１２ａ  モータ回転軸、  ２１３  ターンテーブル、  ２２０  光ピックアップ装置、  ２３１  第１のガイドシャフト（ガイドシャフト）、  ２３２  第２のガイドシャフト（スクリューシャフト）、  ２４０  シャフト回転機構、  ２４１  ステッピングモータ、  ２５０  デッキベース、  ２６０  デッキ回転軸、  ３００  デッキ回転機構、  ４００  筐体、  ６２０  光ピックアップ装置、  ６２１  ＢＤ用ホログラムレーザユニット、  ６２２  ＤＶＤ／ＣＤ用ホログラムレーザユニット、  ６２３  合成プリズム、  ６２４  折り曲げミラー、  ７８０  突起部、  ７８０ｓ  斜面、  ７８１  トラックコイル、  ７８２  フォーカスコイル、  ８９０  半導体レーザ、  ８９１  接合面、  ９００  光ディスク、  １０００  光ディスク装置。
【図１】
2012098775.tif 000003
【図２】
2012098775.tif 000004
【図３】
2012098775.tif 000005
【図４】
2012098775.tif 000006
【図５】
2012098775.tif 000007
【図６】
2012098775.tif 000008
【図７】
2012098775.tif 000009
【図８】
2012098775.tif 000010
【図９】
2012098775.tif 000011
【図１０】
2012098775.tif 000012
【図１１】
2012098775.tif 000013
【図１２】
2012098775.tif 000014
【図１３】
2012098775.tif 000015
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
回転軸回りに回転する光ディスクの半径方向に平行な送り方向に移動し、前記光ディスクの情報記録面に対して情報の記録または再生を行う光ピックアップ装置であって、
第１の波長の光を出射する光学部品である第１の光源と、
前記第１の波長と異なる第２の波長の光を出射する、前記第１の光源とは別の光学部品である第２の光源と、
前記第１の光源からの光を前記情報記録面に集光させる第１の対物レンズと、
前記第２の光源からの光を前記情報記録面に集光させる第２の対物レンズと、
前記第１および第２の光源からの光をそれぞれ前記第１および第２の対物レンズに導く光学系と、を有し、
前記回転軸を通り前記送り方向に平行な平面上に、前記第１および第２の対物レンズと、前記第１の光源とが配置され、
前記第２の光源は、前記第１の光源に対し、前記回転軸を通り前記送り方向に平行な平面に垂直な方向に隣接し、かつ前記第２の光源から出る光の出射方向が、前記第１の光源から出る光の出射方向と同じ向きとなるように配置され、
前記第１および第２の光源のうち少なくとも１つは、楕円形状の光を出射するものであり、前記楕円形状の光のうち放射角の広い方向が前記情報記録面と平行となるように配置される、
ことを特徴とする光ピックアップ装置。
【請求項２】
前記第１および第２の光源のうち少なくとも１つは、前記送り方向から見た場合に略長方形の外形を有するフラットパッケージ型の半導体レーザであり、当該外形の幅が狭い方向が前記情報記録面と平行となるように配置されることを特徴とする請求項１に記載の光ピックアップ装置。
【請求項３】
前記フラットパッケージ型の半導体レーザは、波長６８０ｎｍのレーザ光と、波長７８０ｎｍのレーザ光とを出射する２波長半導体レーザであることを特徴とする請求項２に記載の光ピックアップ装置。
【請求項４】
前記第１および第２の光源のうち少なくとも１つは、前記光を出射するレーザ素子と、前記情報記録面からの戻り光を受光する受光素子と、前記情報記録面からの戻り光を前記受光素子に導くホログラム素子とを内蔵し、前記送り方向から見た場合に略長方形の外形を有するホログラムレーザユニットであり、当該外形の幅が狭い方向が前記情報記録面と平行となるように配置されることを特徴とする請求項１に記載の光ピックアップ装置。
【請求項５】
光ディスクが装着され、当該光ディスクを回転軸回りに回転させる光ディスク回転手段と、
前記回転軸回りに回転する光ディスクに対して情報の記録または再生を行う請求項１から４のいずれか１項に記載の光ピックアップ装置と、
を備えることを特徴とする光ディスク装置。
【手続補正２】
【補正対象書類名】明細書
【補正対象項目名】００１１
【補正方法】変更
【補正の内容】
【００１１】
本発明に係る光ピックアップ装置は、回転軸回りに回転する光ディスクの半径方向に平行な送り方向に移動し、前記光ディスクの情報記録面に対して情報の記録または再生を行う光ピックアップ装置であって、第１の波長の光を出射する光学部品である第１の光源と、前記第１の波長と異なる第２の波長の光を出射する、前記第１の光源とは別の光学部品である第２の光源と、前記第１の光源からの光を前記情報記録面に集光させる第１の対物レンズと、前記第２の光源からの光を前記情報記録面に集光させる第２の対物レンズと、前記第１および第２の光源からの光をそれぞれ前記第１および第２の対物レンズに導く光学系と、を有し、前記回転軸を通り前記送り方向に平行な平面上に、前記第１および第２の対物レンズと、前記第１の光源とが配置され、前記第２の光源は、前記第１の光源に対し、前記回転軸を通り前記送り方向に平行な平面に垂直な方向に隣接し、かつ前記第２の光源から出る光の出射方向が、前記第１の光源から出る光の出射方向と同じ向きとなるように配置され、前記第１および第２の光源のうち少なくとも１つは、楕円形状の光を出射するものであり、前記楕円形状の光のうち放射角の広い方向が前記情報記録面と平行となるように配置される、ことを特徴とする
【手続補正３】
【補正対象書類名】明細書
【補正対象項目名】００１２
【補正方法】変更
【補正の内容】
【００１２】
また、本発明に係る光ディスク装置は、光ディスクが装着され、当該光ディスクを回転軸回りに回転させる光ディスク回転手段と、前記回転軸回りに回転する光ディスクに対して情報の記録または再生を行う上記光ピックアップ装置とを備えることを特徴とする。
【国際調査報告】
2012098775.tif 000016
2012098775.tif 000017
2012098775.tif 000018
2012098775.tif 000019